(57)【要約】      （修正有）【課題】ケーブルの先端側を把掴するのに使用するためのケーブルグリップについて、破損、変形することなく、劣化を押さえることができるケーブルグリップの包装方法を提供する。【解決手段】ケーブルを挿通して把掴する糸状体を網袋状に編んで形成された掴線筒体２の形状を維持すべく該掴線筒体２に略円筒状又は円錐状の挿通体４を設けた状態で１本毎に包装する。また、複数本の糸状体を編んで帯状に形成された網体と、網体の長側面両側に形成された係輪部と、係輪部を継合すべく網体の一方側に設けられた継合糸体とから構成され、網体の腹側をケーブルに装着し継合糸体で係輪部を継合してケーブルを把掴するケーブルグリップであって、網体を長尺方向に沿って背側に巻回して包装する。【選択図】図１
2009137646.tif 000002
【特許請求の範囲】
【請求項１】
ケーブルを挿通して把掴する糸状体を網袋状に編んで形成された掴線筒体の形状を維持すべく、該掴線筒体に略円筒状又は円錐状の挿通体を設けた状態で１本毎に包装することを特徴とするケーブルグリップの包装方法。
【請求項２】
複数本の糸状体を編んで帯状に形成された網体と、網体の長側面両側に形成された係輪部と、係輪部を継合すべく網体の一方側に設けられた継合糸体とから構成され、網体の腹側をケーブルに装着し継合糸体で係輪部を継合してケーブルを把掴するケーブルグリップであって、網体を長尺方向に沿って背側に巻回して包装することを特徴とするケーブルグリップの包装方法。
【発明の詳細な説明】
【技術分野】
【０００１】本発明は、ケーブルの先端側を把掴するのに使用するためのケーブルグリップの包装方法に関する。
【背景技術】
【０００２】ケーブルグリップは、制御用ケーブル、通信用の光ケーブル、動力用のケーブルを布設するときに使用する。【０００３】布設方法は、先ず、ケーブルの先端をケーブルグリップで把掴し、ケーブルグリップの先端に設けられた連結輪に別体のワイヤーを連結し、該ワイヤーをウインチで巻き取ることで各ケーブルを布設する。【０００４】また、別の布設方法は、古くなったケーブルを新しいケーブルに交換するときに使用し、古いケーブルの一端に新しいケーブルの一端をケーブルグリップで把掴することで接続し、古いケーブルを引き出すことで、古いケーブルと新しいケーブルとを入れ換えて布設する。【０００５】上記で使用するケーブルグリップとしては、一般的にはケーブル等を被覆する網袋状の筒体と、該筒体の先端側に設けられワイヤーに連結するための連結輪とから構成された形状のものが知られている。しかしながら、この形状のケーブルグリップは筒体の径が一定であり、また、ケーブルの端部がない場合には使用できない。そこで、帯状の網体と、網体の長側面両側に形成された係輪部を継合すべく網体の一方側に設けられた継合糸体とから構成された形状のものが開発された。これにより、端部のないケーブルであっても網体をケーブルの継ぎ目部分の側面に位置させ係輪部を継合糸体で継合することで、ケーブルを被覆するように使用することができる。
【特許公報】
実開昭６１−１８０５２０号公報
【特許公報】
実開平０３−９１００４号公報
【発明が解決しようとする課題】
【０００６】しかしながら、上記従来より使用されているケーブルグリップは、網袋状の筒体部分が押圧され変形（例えば、押圧により筒体部分が長尺方向に延びて網目部分がなくなった状態等）しやすく、施工時にケーブルの端部にスムーズに挿通することができず、筒体部分を再度元の状態にもどすとともに、ケーブルの先端にガイドを取り付ける工程を必要とする。
【０００７】また、通常ケーブルグリップは複数本をまとめて収納しているために、ケーブルグリップの筒体部分が変形しやすく使用するときにケーブルグリップとしての把掴する力が低下する。
【０００８】また、ケーブルグリップはそのままの状態で搬送されているために網袋状の筒体部分に錆や、磨耗による傷等により劣化が始まり、ケーブルグリップを交換しても消耗が早く、頻繁なメンテナンスを必要とする。
【０００９】帯状の網体においては、網体の長側面両側に形成された係輪部が搬送時、又は収納時に磨耗したり、破損、変形しやすく継合糸体を挿通しにくい状態となりケーブルを適切に被覆することができない。
【００１０】そこで、本発明は、破損、変形することなく、劣化を押さえることができるグリップケーブルの包装方法を提供することを課題とする。
【課題を解決するための手段】
【００１１】本発明は上記課題を解決するための第１の解決手段は、請求項１に記載のように、ケーブルを挿通して把掴する糸状体を網袋状に編んで形成された掴線筒体の形状を維持すべく該掴線筒体に略円筒状又は円錐状の挿通体を設けた状態で１本毎に包装することを特徴とする。
【００１２】また、第２の解決手段は、請求項２に記載のように、複数本の糸状体を編んで帯状に形成された網体と、網体の長側面両側に形成された係輪部と、係輪部を継合すべく網体の一方側に設けられた継合糸体とから構成され、網体の腹側をケーブルに装着し継合糸体で係輪部を継合してケーブルを把掴するケーブルグリップであって、網体を長尺方向に沿って背側に巻回して包装することを特徴とする。
【発明の作用及び効果】
【００１３】次に、本発明のケーブルグリップの包装方法の作用及び効果について説明する。
【００１４】先ず、ケーブルグリップの掴線筒体の形状に応じて、略円筒状に形成された挿通体、又は円錐状に形成された挿通体を挿通する。これにより、掴線筒体は略円筒状を維持した状態となる。
【００１５】従って、ケーブルグリップを１本毎に包装することができ、ケーブルグリップが磨耗したり傷ついたりすることがない。
【００１６】ケーブルグリップを使用する場合は、掴線筒体より挿通体を取り出すだけで、ケーブルの先端に掴線筒体が形状を維持（従来は、網目部分が長尺方向に延びて狭まった状態や、幅方向に広がった状態となりやすい）しているために、ケーブルを容易に挿入して把掴することができる。従って、その後の作業工程である、連結輪にワイヤーを連結してウインチで巻き取る作業もスムーズに行うことができケーブルを挿通することができる。
【００１７】また、網袋状に形成された掴線筒体が適切に維持されることによりケーブルを強く把掴する力を一定に維持することができる。
【００１８】このように、従来にない最適なケーブルグリップの搬送を可能とすることができる。
【００１９】次に、複数本を網状に編んで帯状に形成された網体と、網体の長側面両側に形成された係輪部と、係輪部を継合すべく網体の一方側に設けられた継合糸体とから構成されたケーブルグリップ（通常２つ割型ケーブルグリップと総称される）の場合は、網体を長尺方向に沿って背側に巻回して包装するために、ケーブルグリップの搬送中に係輪部が破損、変形（従来は、網体の網目部分が長尺方向に延びて狭まった状態となることで係輪部が破損、変形しやすい）るすることなく搬送することかできる。
【００２０】従って、網体の腹側をケーブルに装着させて継合糸体をスムーズに係輪部に挿通してケーブルに沿って筒状に編み込むことができる。
【００２１】また、帯状の網体部分も巻回して包装されているために、長尺方向に伸びたり、縮小することなく最初の広がった状態を維持でき、作業者が手で１本づつ網体部分を広げる時間を要する無駄な作業を必要としない。
【００２２】このように、本発明のケーブルグリップの包装方法は、従来にない新規な包装形態であり、ケーブルグリップの従来からあった大きな問題点を解消した。
【００２３】また、単にケーブルグリップを最適に包装するだけでなく、ケーブルグリップの施工作業時に最適に使用することを考えたケーブルグリップの包装方法である。
【００２４】また、その包装方法も簡易であり、コストのかからない包装方法である。
【発明を実施するための最良の実施の形態】
【００２５】以下、本発明のケーブルグリップの包装方法の一実施例について下記のような図面を用いて説明する。
【００２６】図１は本発明のケーブルグリップの包装方法の一実施例を示す側面図であり、図２はケーブルグリップの包装方法の他実施例を示す側面図であり、図３は挿通体の他実施例を示す側面図であり、図４は２つ割型ケーブルグリップを示す概略説明図であり、図５は図４の２つ割型ケーブルグリップの包装方法を示す概略説明図である。
【００２７】本発明のケーブルグリップの第１の実施例について説明する。
【００２８】本発明のケーブルグリップ１は、ケーブルを挿通して把掴する糸状体を一端側を閉塞し、他端側を開放した網袋状に編んで形成された掴線筒体２と該掴線筒体２の閉塞側に形成され糸状体をワイヤー状に結束することで形成された連結輪３とから構成されている。
【００２９】前記掴線筒体２には、略円筒状、又は円錐状に形成された挿通体４が挿通されている。これにより掴線筒体２はその形状を維持することができ、網目部分が長尺方向に伸びることで網が広がりにくくなったり、又は長尺方向に縮小するように押圧されることで、網目部分が変形することがない。
【００３０】本発明のケーブルグリップ１は、上記の状態で１本づつ袋６に収納されているために、掴線筒体２が磨耗したり、劣化することなく搬送することができる。特に劣化に対しては、袋６内部を真空状態とすることで、さらにその劣化を抑えることができる。
【００３１】本発明のケーブルグリップ１の第１の実施例は上記のように構成され、次に上記ケーブルグリップ１を搬送及び使用について説明する。
【００３２】先ず、本発明のケーブルグリップ１は１本毎に袋６につめて搬送されているために、ケーブル１０に装着する場合は、前記掴線筒体２より挿通体４を取り除き、筒状を維持された状態の掴線筒体２にケーブル１０を挿入し、その後掴線筒体２を長尺方向に引っ張ることにより網部分が直角に方向に収縮しようとする力によりケーブル１０を強く把掴することができる。
【００３３】この状態で、連結輪３にワイヤーを連結してウインチでワイヤーを引っ張ることでケーブル１０を一方向に引っ張り移動することができる。
【００３４】この際、掴線筒体２が一定に維持されていたために、ケーブル１０を掴線筒体２全体で確実に把掴することができる。
【００３５】しかも、掴線筒体２が搬送中に磨耗等することなく、また劣化もすることがないので、メンテナンスを従来のように頻繁に行うことなく期間をあけて行うことができる。
【００３６】尚、上記実施例において、挿通体４は単に掴線筒体２の形状維持のために使用したが、本発明においては挿通体４は上記実施例に限定するものでなく、挿通体４の先端を着脱式のキャップ部４Ａとして形成することで、該キャップ部４Ａを複数のケーブル１０の先端に取り付けて掴線筒体２に挿入することでその挿入工程をスムーズに行うようにすることも可能である。
【００３７】次に本発明のケーブルグリップの第２の実施例について説明する。
【００３８】本発明のケーブルグリップ１１は、通常２つ割型ケーブルグリップと呼ばれるケーブルグリップ１１である。
【００３９】本発明のケーブルグリップ１１は、複数本の糸状体を網目状に編んで長尺状の帯状に形成した網体１２と、糸状体を網目状に編んだ際に網体１２の長側面両側の折り返し部分をくの字に折り曲げて形成した複数の連続した係輪部１５と、網体１２の一端側の糸状体を結束して形成された２本の連結輪１３と、結束部分より取り出した１本の糸状体より形成され、前記係輪部１５にそれぞれ挿通して編み込むことで継合する継合糸体１４とから構成されている。
【００４０】尚、連結輪１３の数はワイヤーで引っ張りやすいので２本としているが、中央に１本設けるように形成することも可能である。
【００４１】本発明のケーブルグリップ１１の第２の実施例は上記のように構成され、次にケーブルグリップ１１を搬送及び使用する場合について説明する。
【００４２】先ず、本発明のケーブルグリップ１１は１本毎に網体１２の背側１１Ａ（本発明において、ケーブル１０に装着する断面半円弧状部分を腹側１１Ｂと称し、その反対側を背側１１Ａと称する）を網体１２の長尺方向に沿って巻回しその状態で包装する。
【００４３】これによりケーブルグリップ１１の係輪部１５が一定の状態で維持されることとなり、従来の問題であった網体１２が長尺方向に延びることで係輪部１５がなくなるようなことがない。
【００４４】またケーブルグリップ１１をケーブル１０に装着する場合は、前記網体１２の腹側１Ｂを巻き戻しながらケーブル１０に装着した後、係輪部１５に継合糸体１４を挿通して編み込むことで網体１２を継合することで、ケーブル１０に筒状に維持して強く把掴することができる。
【００４５】この状態で、連結輪３にワイヤーを連結してウインチでワイヤーを引っ張ることでケーブル１０を一方向に引っ張り移動することができる。
【００４６】従って、端部の無いケーブル１０、例えば古いケーブル１０の端部と新しいケーブル１０の端部とを連結して移動することで、ケーブル１０を入れ換えることができる。
【００４７】このように、本発明のケーブルグリップは、その包装に新たな方法を取り入れることにより、従来よりのケーブルグリップ取扱状の問題点、及び施工上の問題点を解消することができる。
【図面の簡単な説明】
【００４８】
【図１】本発明のケーブルグリップの包装方法の一実施例を示す側面図
【図２】ケーブルグリップの包装方法の他実施例を示す側面図
【図３】挿通体の他実施例を示す側面図
【図４】２つ割型ケーブルグリップを示す概略説明図
【図５】図４の２つ割型ケーブルグリップの包装方法を示す概略説明図
【符号の説明】
【００４９】１，１１…ケーブルグリップ
【図１】
2009137646.tif 000003
【図２】
2009137646.tif 000004
【図３】
2009137646.tif 000005
【図４】
2009137646.tif 000006
【図５】
2009137646.tif 000007